(57)【特許請求の範囲】
【請求項１】
上向き係止片と下向き係止片とを備えたピース状の留め金具と、この留め金具を係止可能な複数個の取付片を横方向に並べて備え、隣り合う柱間に亘って架設され、柱への固定用のビス孔を横方向に長く形成したベース板とからなる外装材取付金具を用いることによって、柱に外装材を取り付けるようにした外装材の取付構造であって、外装材の裏面を当接して支持するための支持部を留め金具の両側部に表面側に向かって突出して設け、ベース板の取付片に留め金具を係止してベース板に留め金具を取り付けると共に、取付片に支持部を当てることによってベース板に対する留め金具の横方向の移動を規制し、外装材の下端に溝部を設けると共に外装材の上端に実部を設け、隣り合う柱の間において外装材の側端部に他の外装材の側端部を隣接して配置し、ベース板に取り付けた留め金具の下向き係止片を上記の隣接して配置した外装材の実部に係止すると共にベース板の側端部を上記隣り合う柱にそれぞれ固定し、上記外装材とは別の外装材の溝部を上記留め金具の上向き係止片に被挿することによって、外装材を上下に隣接して配設して成ることを特徴とする外装材の取付構造。
【発明の詳細な説明】
【技術分野】
【０００１】
本発明は、壁パネルなどの外装材を柱に取り付けるための外装材取付金具を用いた外装材の取付構造に関するものである。
【背景技術】
【０００２】
従来から、横方向（左右）に隣り合う外装材の接続部分が、隣り合う柱の間に位置しても外装材を支持して柱に取り付けるようにした外装材の取付構造が提案されている（例えば、特許文献１参照）。
【０００３】
特許文献１に記載された方法では、図１２に示すように、隣り合う柱５０，５０間に亘ってパネル接合金具５１を架設する。パネル接合金具５１は、台部５２の外面（屋外側面）に受板５３を突設し、受板５３に先端に斜め上向きに突出する庇板５４と斜め下向きに突出する庇板５５が設けられている。これら受板５３と庇板５４、５５はパネル接合金具５１の全長に亘って設けられている。
【０００４】
一方、図１３（ａ）（ｂ）に示すように、略平板状の外装材である壁パネル５６の上端と一方の側端には実部１０が突設されていると共に壁パネル５６の下端と他方の側端には覆い部５８が突設されている。また、壁パネル５６の下部には覆い部５８の後側において溝部５９が横方向の全長に亘って設けられている。
【０００５】
そして、壁パネル５６を配設するにあたっては、まず、架設されたパネル接合金具５１の台部５２と庇板５５との間に壁パネル５６の上端の実部１０を差し込んで受板５３の下側に壁パネル５６を配設し、パネル接合金具５１の庇板５４に上記とは別の壁パネル５６の溝部５９を被挿して受板５３の上側に壁パネル５６を配設する。ここで、上側の壁パネル５６の下端の覆い部５８が庇板５４、５５の前側に位置して下側の壁パネル５６上部に当接する。こうして図１４（ａ）に示すように、上下に隣接する壁パネル５６、５６が接合して配設される。また、各壁パネル５６，５６の側端部には、さらに他の壁パネル５６、５６の側端部が接合される。この時、図１４（ｂ）に示すように、横方向に隣接する壁パネル５６、５６のうち、一方の壁パネル５６の側端の実部１０の前側に、他方の壁パネル５６の側端の覆い部５８が位置して接合されることになる。
【０００６】
このようにして隣り合う柱５０、５０の間において、図９に示すように、上下左右に四枚の壁パネル５６が四辺合いじゃくり構造で接合された壁を形成することができる。
【０００７】
しかし、上記従来例の構造では、受板５３及び庇板５４、５５がパネル接合金具５１の全長に亘って形成されており、しかも、庇板５４、５５は壁パネル５６の横方向の全長に亘って係止されるために、上下に隣接する壁パネル５６、５６の接合部分に雨水などの水が溜まりやすいという問題があった。また、長尺のために壁パネル５６の覆い部５８や実部１０とパネル接合金具５１とが接合しにくく、さらに、壁パネル５６に反りがあるとパネル接合金具５１と接続する際に覆い部５８や実部１０が欠けやすいという問題があった。
【特許文献１】特開平１１−３３６２８８号公報
【発明の開示】
【発明が解決しようとする課題】
【０００８】
本発明は上記の点に鑑みてなされたものであり、破損などが発生しにくく、施工しやすい外装材の取付構造を提供することを目的とするものである。
【課題を解決するための手段】
【００１０】
本発明の外装材の取付構造は、上向き係止片１１と下向き係止片１２とを備えたピース状の留め金具６と、この留め金具６を係止可能な複数個の取付片７を横方向に並べて備え、隣り合う柱１、１間に亘って架設され、柱１への固定用のビス孔２を横方向に長く形成したベース板５とからなる外装材取付金具４を用いることによって、柱１に外装材３を取り付けるようにした外装材３の取付構造であって、外装材３の裏面を当接して支持するための支持部２０を留め金具６の両側部に表面側に向かって突出して設け、ベース板５の取付片７に留め金具６を係止してベース板５に留め金具６を取り付けると共に、取付片７に支持部２０を当てることによってベース板５に対する留め金具６の横方向の移動を規制し、外装材３の下端に溝部９を設けると共に外装材３の上端に実部１０を設け、隣り合う柱１、１の間において外装材３の側端部に他の外装材３の側端部を隣接して配置し、ベース板５に取り付けた留め金具６の下向き係止片１２を上記の隣接して配置した外装材３の実部１０に係止すると共にベース板５の側端部を上記隣り合う柱１、１にそれぞれ固定し、上記外装材３とは別の外装材３の溝部９を上記留め金具６の上向き係止片１１に被挿することによって、外装材３、３を上下に隣接して配設して成ることを特徴とするものである。
【発明の効果】
【００１１】
本発明にあっては、留め金具６はベース板５の一部にしか設けられていないので、外装材３と留め金具６との間に水が溜まりにくく、また、外装材３とその取付金具４とは留め金具６により一部しか係止しないので、全長に亘って接合する場合に比べて施工が容易であり、外装材３が反っていても欠け等の破損が発生しないものであり、しかも、施工後においても外装材の変形を抑制することができるものである。
【発明を実施するための最良の形態】
【００１２】
以下、本発明を実施するための最良の形態を説明する。
【００１３】
図２に示すように、外装材３は略平板状の壁パネルとして形成されており、その表面は多数枚のタイルを張り付けたような外観であってもよい。外装材３はセメントを主成分とする窯業系材料で形成することができる。外装材３の上端と一方の側端には実部１０が突設されていると共に外装材３の下端と他方の側端には覆い部５８が突設されている。また、外装材３の下部には覆い部５８の後側において溝部９が横方向の全長に亘って設けられている。
【００１４】
ベース板５は厚み１．２mm程度の金属板を曲げ加工などすることによって形成することができ、この金属板としては耐食性の高い亜鉛アルミニウムマグネシウム合金メッキ鋼板などを用いることができる。ベース板５は図３（ａ）に示すように、横長に形成されるものであって、その中央部には複数個の取付片７が横方向に並べられて形成されている。図３（ｃ）（ｄ）に示すように、各取付片７は表面側への切り起こしにより形成されている。また、ベース板５の両側部には横方向に長いビス孔２が設けられている。ビス孔２は各側端部において上下二段に設けることができる。さらに、図３（ｂ）（ｄ）に示すように、ベース板５には表面側に突出するリブ１５が設けられている。尚、図３（ｅ）に示すように、取付片７にはビス穴１６を設け、後述する留め金具６を取付片７に係止した後、このビス穴１６にタッピングビスなどを打ち込んで留め金具６を取付片７に固定するようにしてもよい。
【００１５】
留め金具６はベース板５と同様の金属板を曲げ加工などすることによって形成することができる。留め金具６はベース板５よりも短尺であって、ピース状の金具である。図４（ａ）〜（ｃ）に示すように、留め金具６の表面の略中央部には一対の上向き係止片１１が横方向に並んで突設されている。また、留め金具６の表面の両側には一対の下向き係止片１２が横方向に並んで突設されている。また、留め金具６の表面の略中央下部には位置決め片１７が突設されている。また、留め金具６の上部は差し込み部１８として形成されており、この差し込み部１８の表面には一対の突起部１９が設けられている。さらに、留め金具６の両側部には表面側に向かって突出する支持部２０が設けられている。
【００１６】
側端金具２１はベース板５と同様の金属板を曲げ加工などすることによって形成することができる。側端金具２１はベース板５よりも短尺であって、ピース状の金具である。図５（ａ）〜（ｃ）に示すように、側端金具２１の表面の略中央部には下向き引っ掛け片２２が突設されている。また、側端金具２１の表面の両側には一対の上向き引っ掛け片２３が横方向に並んで突設されている。また、側端金具２１の略中央上部には厚み方向に貫通する取付孔２４が穿孔されている。さらに、側端金具２１の両側部には表面側に向かって突出する側端支持部２５が設けられている。
【００１７】
そして、上記のベース板５と留め金具６及び側端金具２１からなる外装材取付金具４を用いて壁パネルである外装材３を柱に取り付けるにあたっては、以下のようにして行う。
【００１８】
まず、隣り合う柱１，１の間において外装材３の側端部に他の外装材３の側端部を隣接して配置し、一方の外装材３の側端の実部１０の表面側に他方の外装材３の側端の覆い部５８を位置させることによって、横方向に隣接する外装材３、３を接続する。次に、ベース板５の表面に留め金具６を取り付ける。留め金具６は差し込み部１８を取付片７の裏面側に差し込んで係止して取り付けるが、この時、差し込み部１８には三つの取付片７が係止され、この三つの取付片７は突起部１９で仕切られている。また、取付片７に支持部２０が当たって、ベース板５に対する留め金具６の横方向の移動を規制することができるものである。
【００１９】
次に、留め金具６を取り付けたベース板５を上記横方向に接続した外装材３，３に上方から近づけ、図６に示すように、留め金具６の一方の下向き係止片１２を一方の外装材３の側端部の実部１０に上側から差し込んで係止すると共に留め金具６の他方の下向き係止片１２を他方の外装材３の側端部の実部１０に上側から差し込んで係止する。この時、位置決め片１７は隣接する外装材３，３の側端部の間に差し込まれている。また、上向き係止片１１は外装材３の実部１０の上側に位置している。また、外装材３の裏面には支持部２０の表面が当接して支持するものである。
【００２０】
本発明では、上記の位置決め片１７により施工後において外装材３の横ズレを抑制することができるものである。すなわち、図５や図１１のようなピース状の金具のみで柱１に取り付けた場合は、柱１、１間において四枚の外装材３の横方向の接合を金具で留めることができず、施工精度が悪くなる。また、図１２に示す従来例では、パネル接合金具５１で上下方向には外装材３を留めることができるが、外装材３の横ズレは防止することができず、例えば、温度等による伸縮で外装材３、３の間に隙間が発生する恐れがある。一方、本発明では、四枚の外装材３の横方向の接合を留め金具６を用いて行うことができ、横ズレを防止して施工精度を高くすることができるものである。特に、位置決め片１７を隣接する外装材３，３の側端部の間に差し込んで外装材３の側端部に当接しているために、横ズレ防止機能がさらに高くなって施工精度を向上させることができるものである。
【００２１】
次に、図７に示すように、柱１の表面側において、ベース板５の側端部の表面に側端金具２１を配置すると共に側端金具２１の取付孔２４をベース板５のビス孔２に位置合わせし、さらに、側端金具２１の下向き引っ掛け片２２を外装材３の上側の実部１０の側端に係止する。次に、取付孔２４とビス孔２にビスなど固定具２９を差し込んで柱１にまで打ち込むことによって、ベース板５及び側端金具２１を柱１に固定することができる。ここで、ベース板５は横方向の長孔であるビス孔２に固定具２９を差し込んでいるので、横方向への移動を容易に行って位置あわせを行うことができる。このようにして、図１に示すように、下側の外装材３，３を横方向で接続しながら柱１、１に取り付けることができる。また、外装材３の裏面には側端支持部２５の表面が当接して支持するものである。
【００２２】
この後、別の二枚の外装材３，３を上記外装材３，３の上側にさらに配設する。この時、上側で横方向に隣接する外装材３，３は、一方の外装材３の側端の実部１０の表面側に他方の外装材３の側端の覆い部５８を位置させることによって接続する。また、図８に示すように、上側に配置した外装材３の溝部９を留め金具６の上向き係止片１１と側端金具２１の上向き引っ掛け片２３に被挿して係止する。さらに、上側の外装材３の下部の覆い片５８を留め金具６と側端金具２１及び下側の外装材３の上部の実部１０の表面側に位置するように配置する。
【００２３】
そして、上記の施工手順を繰り返すことによって、複数枚の外装材３、３…で壁を形成することができる。ここで、図９に示すように、一つの留め金具６にはその周りに配置された四枚の外装材３の角部が保持されることになり、この位置には柱１が無くても外装材３を施工することができる。
【００２４】
図１０には他の留め金具６を示し、図１１には他の側端金具２１を示す。これらは、上記の留め金具６や側端金具２１に比べて支持部２０や端部支持部２５の表裏方向の寸法が大きく形成されており、外装材３の裏面の空気層を大きくする場合に用いられる。
【図面の簡単な説明】
【００２５】
【図１】本発明の実施の形態の一例を示す斜視図である。
【図２】同上の外装材の一例を示し、（ａ）は正面図、（ｂ）は平面図、（ｃ）は側面図を示す。
【図３】同上のベース板の一例を示し、（ａ）は正面図、（ｂ）は側面図、（ｃ）は一部を拡大した正面図、（ｄ）は断面図、（ｅ）は取付片の一例を示す正面図である。
【図４】同上の留め金具の一例を示し、（ａ）は正面図、（ｂ）は側面図、（ｃ）は底面図である。
【図５】同上の側端金具の一例を示し、（ａ）は正面図、（ｂ）は側面図、（ｃ）は底面図である。
【図６】同上の一部が破断した斜視図である。
【図７】同上の一部が破断した斜視図である。
【図８】同上の一部の断面図である。
【図９】同上の一部が破断した斜視図である。
【図１０】同上の留め金具の他例を示し、（ａ）は正面図、（ｂ）は側面図、（ｃ）は底面図である。
【図１１】同上の側端金具の他例を示し、（ａ）は正面図、（ｂ）は側面図、（ｃ）は底面図である。
【図１２】従来例を示し、パネル接合金具の斜視図である。
【図１３】従来例の壁パネルを示し、（ａ）は斜視図、（ｂ）は一部の側面図である。
【図１４】従来例を示し、（ａ）（ｂ）は一部の断面図である。
【符号の説明】
【００２６】
１  柱
２  ビス孔
３  外装材
４  外装材取付金具
５  ベース板
６  留め金具
７  取付片
９  溝部
１０  実部
１１  上向き係止片
１２  下向き係止片
２０  支持部
【図１】
0004516534.tif 000002
【図２】
0004516534.tif 000003
【図３】
0004516534.tif 000004
【図４】
0004516534.tif 000005
【図５】
0004516534.tif 000006
【図６】
0004516534.tif 000007
【図７】
0004516534.tif 000008
【図８】
0004516534.tif 000009
【図９】
0004516534.tif 000010
【図１０】
0004516534.tif 000011
【図１１】
0004516534.tif 000012
【図１２】
0004516534.tif 000013
【図１３】
0004516534.tif 000014
【図１４】
0004516534.tif 000015